(57)【要約】【課題】電力取引データとコントロールエリア間の連系線の空き容量に応じて、分断される市場を特定する。【解決手段】入力された全コントロールエリアからの注文を１つの市場（図では全国市場としている）で仮約定（マッチング）させ（ステップＳ３）、仮約定結果から連系線を通る電力量を算定して混雑する連系線を検出し（ステップＳ４）、連系線の属性情報及び検出された混雑する連系線をもとに、全コントロールエリアから分断しうる１つまたは複数のコントロールエリアの注文を扱う分断市場を特定する（ステップＳ６）。【選択図】  図１
2005100140.tif 000002
【特許請求の範囲】
【請求項１】
コンピュータを用いて電力区域間の連系線の空き容量に応じた電力取引を行う電力取引方法において、
入力された全電力区域からの注文を１つの市場で仮約定させ、
仮約定結果から前記連系線を通る電力量を算定して混雑する連系線を検出し、
前記連系線の属性情報及び検出された前記混雑する連系線をもとに、前記全電力区域から分断しうる１つまたは複数の電力区域の前記注文を扱う分断市場を特定することを特徴とする電力取引方法。
【請求項２】
前記注文を前記分断市場ごとに仮約定させ、
前記分断市場の仮約定結果から前記電力量を算定して前記混雑する連系線を検出し、
前記混雑する連系線がないか、市場分断を発生させる必要がない場合には、前記仮約定結果をもとに、前記注文を約定することを特徴とする請求項１記載の電力取引方法。
【請求項３】
予め記憶手段に記憶され、１つまたは複数の前記電力区域の組み合わせと、前記電力区域の組み合わせが前記分断市場を形成する要件として、容量が最大となる１つまたは複数の前記連系線の組み合わせとを対応付けた分断市場−連系線組み合わせ表から、
前記混雑する連系線のみの組み合わせに対応する前記電力区域の組み合わせを抽出することで、前記分断市場を特定することを特徴とする請求項１記載の電力取引方法。
【請求項４】
隣接する前記分断市場間で、前記連系線の空き容量分の電力量の受け渡しを行い、前記分断市場内での前記注文に加算または減算して仮約定させることを特徴とする請求項２記載の電力取引方法。
【請求項５】
特定された前記分断市場における取引情報または前記分断市場間での電力の受け渡し情報を提示することを特徴とする請求項１記載の電力取引方法。
【発明の詳細な説明】
【技術分野】
【０００１】
本発明は電力取引方法に関し、特に電力区域間の連系線の空き容量に応じた電力取引を行う電力取引方法に関する。
【背景技術】
【０００２】
２０００年春から電力取引の部分的自由化が始まり、それまで電力会社が完全に地域独占してきた電力の小売が可能になってきており、家庭への供給を視野に入れた、全面的自由化に向けて段階的に進んでいる。
【０００３】
こういった流れのなかで、電力取引を効率的に行うための以下のような種々の技術が開示されている。
例えば、特許文献１には、電力販売希望者の競争を促進し、電力購入希望者の電力購入価格を安価にするための、オークション式の電力取引を行うシステムが開示されている。
【０００４】
また、特許文献２には、電力の相対取引を促進するために、託送料金を上乗せした価格を買い手に表示する取引仲介方法が開示されている。
さらに、特許文献３には、電力の安定供給を維持しながら取引を行うための、会員の発電余力状況、系統送電余力状況、電力余剰状況、及び信頼性に関する格付け情報の少なくとも１種を含むことを特徴とする電力取引方法が開示されている。
【０００５】
一方、海外においてはすでに電力取引のための取引所である電力取引所が設立されている。電力取引所では、通常、１つの電力取引所で複数の電力区域（以下コントロールエリアまたは略してＣＡと称する）の取引を１つの板（指値注文などの控え）上で行う。また、連系線の混雑（最大受け渡し量に達した場合、すなわち連系線の空き容量が０の状態）が生じた場合には固定されたエリアごとの複数の板に分けるという方法がとられている場合がある（例えば、Ｎｏｒｄ  Ｐｏｏｌ（北欧の電力取引所））。
【０００６】
なお、連系線は送電線の別名だが、本明細書中ではコントロールエリア間を結ぶ送電線とする。
現在日本においては電力取引所が存在せず、取引当事者同士が連系線の容量を確認した上で契約を結ぶ相対契約のみが行われているが、２００５年には、電力取引所を創設する構想が進んでいる。
【特許文献１】特開２００１−１８４４３３号公報
【特許文献２】特開２００１−２４３３５８号公報
【特許文献３】特開２００２−５６２２５号公報
【発明の開示】
【発明が解決しようとする課題】
【０００７】
しかし、日本において上記のような電力取引所を設立する際には、以下のような問題がある。
図４１は、日本におけるコントロールエリアとその連系線の配置例を示す図である。
【０００８】
日本では、例えば、９つのコントロールエリアＣＡ１０、ＣＡ１１、…、ＣＡ１８に分かれ、各コントロールエリア間は、連系線７０、７１、…、８１によって結ばれている。
電力取引所は、このような全国のコントロールエリアＣＡ１０、ＣＡ１１、…、ＣＡ１８における電力取引を１つの市場として扱う。
【０００９】
現在、日本における複数のコントロールエリア間をつなぐ連系線７０、７１、…、８１の容量は、ヨーロッパなどのものに比べると、一般に小さく、取引の結果必要になった電力の受け渡しが、空き容量が少ないためにできないという状況が発生するという問題がある。そのような場合、市場を分断して、それぞれで取引が続行されるようにしたいという要望がある。
【００１０】
図４２は、市場分断を説明する図である。
例えば、連系線７０、７４、７５の空き容量がない場合は、この図４１のように、コントロールエリアＣＡ１０のみの市場９０、コントロールエリアＣＡ１１、ＣＡ１２、ＣＡ１３からなる市場９１、コントロールエリアＣＡ１４、ＣＡ１５、…、ＣＡ１８からなる市場９２と、３つの市場に分断して取引を行う。
【００１１】
電力取引所においては、このような市場分断の発生を、すばやく検出する仕組みが必要である。
本発明はこのような課題に鑑みてなされたものであり、取引データと連系線の空き容量に応じて、分断される市場を特定することが可能な電力取引方法を提供することを目的とする。
【課題を解決するための手段】
【００１２】
本発明では上記問題を解決するために、コンピュータを用いてコントロールエリア間の連系線の空き容量に応じた電力取引を行う電力取引方法において、図１に示すように、入力された全コントロールエリアからの注文を１つの市場（図では全国市場としている）で仮約定（マッチング）させ（ステップＳ３）、仮約定結果から連系線を通る電力量を算定して混雑する連系線を検出し（ステップＳ４）、連系線の属性情報及び検出された混雑する連系線をもとに、全コントロールエリアから分断しうる１つまたは複数のコントロールエリアの注文を扱う分断市場を特定する（ステップＳ６）ことを特徴とする電力取引方法が提供される。
【００１３】
このような方法によれば、仮約定時に全コントロールエリアから分断しうる１つまたは複数のコントロールエリアの注文を扱う分断市場が特定される。
【発明の効果】
【００１４】
本発明の電力取引方法によれば、全コントロールエリアからの注文を１つの市場で仮約定させ、仮約定結果から連系線を通る電力量を算定して混雑する連系線を検出し、連系線の属性情報及び検出された混雑する連系線をもとに、全コントロールエリアから分断しうる１つまたは複数のコントロールエリアの注文を扱う分断市場を特定するので、仮約定時に分断市場を特定することができる。
【００１５】
また、注文を分断市場ごとに仮約定させ、分断市場の仮約定結果から再び連系線の電力量を算定して混雑する連系線を検出し、混雑する連系線がないか、市場分断を発生させる必要がない場合には、仮約定結果をもとに注文を約定するので、連系線が混雑した場合でも、分断市場において取引を行うことができる。
【発明を実施するための最良の形態】
【００１６】
以下、本発明の実施の形態を、図面を参照して詳細に説明する。
図１は、本発明の実施の形態の電力取引方法の流れを説明するフローチャートである。
また、図２は、電力取引システムの概略の構成図である。
【００１７】
なお、図２では、電力取引システムにおける商取引のみの情報の流れを示しており、実際の電力の流れとは必ずしも一致していない。
図１で示す処理は、図２の電力取引所１０のコンピュータで行われる処理である。
【００１８】
電力取引所１０は、電力を売買するための取引所であり、主に以下の２つの市場を開設するものとする。
＜１日前市場＞翌日使用する電力の受け渡しを行う市場である。
【００１９】
上場商品は、３０分単位の４８商品（２４時間×２＝４８商品）であり、取引仕法は板寄せ仕法（１価格１オークション制）である。板寄せ仕法とは、所定の時刻に競りを行い、電力取引所１０が提示した仮の価格に対して注文が出され、売り買いの数量が一致した価格で全ての注文を約定させる方式である。清算方法は、電力取引所１０がＣＣＰ（セントラル・カウンタ・パーティ）となって決算を行い、信用リスクも電力取引所１０が担保する。また、連系線混雑時には市場分断を行う（後述する）。
【００２０】
なお、取引の匿名性は担保され、紐付けされた約定結果は系統運用機関１１のみに通知される。発電者の発電機不調などに関しては、最終的にはバックアップの原因を発生させた発電事業者（売り手）に求償されるが、求償順序は「買い手→電力取引所→売り手」となる。
【００２１】
＜先渡市場＞例えば、１〜２ヶ月分の、使用する電力の受け渡しを行う市場である。
上場商品は、２４時間の電力を対象とした月間２４時間型、昼間のみの電力を対象とした月間昼間型があり、取引仕法は板寄せザラバ仕法である。板寄せザラバ仕法とは、始値、終値の際のみ板寄せ仕法で行い、その他の立会い時間中はザラバ仕法で行うものである。清算方法は、当事者間で決済を行う方法を用い、電力取引所１０は管理しない。
【００２２】
先渡市場において電力取引所１０は注文のマッチングのみ行い、約定成立後は買い手と売り手に紐付けされた約定結果を会員１２−１、１２−２、…、１２−ｎに通知し、清算は会員間で行う。
【００２３】
系統運用機関１１は、例えば、電力会社であり、連系線や送電線を用いて実際の電力の受け渡しなどの運用を行う。会員１２−１、１２−２、…、１２−ｎは、ＩＰＰ（卸電力事業）の事業者、ＰＰＳ（特定規模電気事業者）など、発電施設を持っている事業者である。
【００２４】
なお、図２では、系統運用機関１１を１つとしているが、この数には限定されない。
本発明の実施の形態の電力取引方法は、上記の１日前市場において発生する可能性のある分断市場を特定するものである。
【００２５】
それでは、以下、図１で示す処理をステップごとに説明する。
ステップＳ１：連系線情報受信
電力取引所１０では、系統運用機関１１より、連系線の情報を、ネットワーク（例えばインターネット）などを介して受信する。
【００２６】
受信する連系線情報には、連系線属性情報と、連系線空き容量情報がある。
図３は、連系線属性情報の例である。
連系線属性情報は、連系線番号と、その連系線の両端のコントロールエリア名（ＣＡ名）を示す情報である。例えば、連系線番号“００１”の連係線は、コントロールエリアＣＡ１とコントロールエリアＣＡ２を結ぶ連系線であることを示している。連系線属性情報は、連系線の新設・廃止などがない限りは固定となる。
【００２７】
図４は、連系線空き容量情報である。
連系線空き容量情報は、連系線番号で特定された連系線の、ある時間帯における空き容量を示す情報である。例えば、連系線番号“００１”の連系線は、２００５年８月１５日００：００−００：３０の時間帯の空き容量が１００ＭＷｈであることを示している。連系線空き容量情報は、１回の取引が開始する前までに最新のデータを系統運用機関１１より受信する。
【００２８】
ステップＳ２：注文受付
電力取引所１０は、会員１２−１、１２−２、…、１２−ｎより注文を受け付ける。これら会員１２−１、１２−２、…、１２−ｎは、全コントロールエリアのうち、何れかのコントロールエリアに属している。
【００２９】
本発明の実施の形態の電力取引方法における取引仕法は、板寄せ仕法（１価格１オークション制）であるため、例えば、電力受け渡し日の前日の所定の時刻に競りを行い注文を受け付ける。
【００３０】
注文はネットワーク（例えば、インターネット）などを介して受信する。
図５は、注文情報の例である。
注文情報は、電力受け渡し日と、商品（何時から何時までの電力供給かを示す）、数量（電力量（単位はＭＷｈ））、価格（円／ＫＷｈ）、どのコントロールエリアからの注文なのか、売りなのか買いなのか、どの会員１２−１、１２−２、…、１２−ｎなのか（図では、アルファベットで分類している）を示す情報である。
【００３１】
例えば、図５の始めの欄には、コントロールエリアＣＡ３に属する会員“Ａ”から、２００５年８月１５日の０３：００−０３：３０に、５５ＭＷｈの電力量を６．５円／ＫＷｈで売りたい旨の注文がなされていることを示している。
【００３２】
同様に図５の次の欄には、コントロールエリアＣＡ５に属する会員“Ｂ”から、２００５年８月１５日の１２：００−１２：３０に、１００ＭＷｈの電力量を１１．６円／ＫＷｈで買いたい旨の注文がなされていることを示している。
【００３３】
ステップＳ３：全国市場でのマッチング
ステップＳ２で入力された全コントロールエリアからの注文を、１つの市場（全国市場）でマッチング（仮約定）させる。
【００３４】
電力取引所１０は、まず市場分断がないと仮定して、全コントロールエリアからの注文をもとに、同一板上でマッチングを行い、仮約定価格と仮約定数量を求める。
ステップＳ４：混雑する連系線検出
ステップＳ３の処理において仮マッチングした結果（仮約定結果）から連系線を通る電力量を算定し、ステップＳ１の処理で受信した連係線空き容量情報を参照して、どの連系線が混雑するかを検出する。
【００３５】
ステップＳ５：市場分断が発生するか否かの判定
ここでは、ステップＳ４の処理で、特定された混雑している連系線により、市場の分断が発生するか否かを判定する。混雑する連係線がない場合や、混雑していても別の連系線により電力の受け渡しができ市場の分断が起こらない場合はステップＳ８の処理に進み、市場分断が発生すると判定された場合はステップＳ６に進む。
【００３６】
ステップＳ６：分断市場特定
ステップＳ５の処理で、市場分断が発生すると判定された場合には、図３で示した連系線属性情報及び、検出された混雑する連系線をもとに、全コントロールエリアから分断しうる１つまたは複数のコントロールエリアの注文を扱う分断市場（分断された市場）を特定する。
【００３７】
ステップＳ７：分断された市場ごとのマッチング
分断市場が特定されると分断市場ごとに板を立ち上げ再マッチングを行い、仮約定価格と仮約定数量を求め、その後ステップＳ４からの処理を繰り返す。
【００３８】
ステップＳ８：約定価格・数量の確定
市場分断が起こらないマッチング結果が得られると、約定価格・数量を確定させ、その結果を電力取引所１０における図示しない清算システムへ送信すると同時に、会員側へ約定結果を通知する。
【００３９】
以上のように、全コントロールエリアからの注文を全国市場で仮約定させ、仮約定結果から連系線を通る電力量を算定して混雑する連系線を検出し、連系線の属性情報及び検出された混雑する連系線をもとに、全コントロールエリアから分断しうる１つまたは複数のコントロールエリアの注文を扱う分断市場を特定するので、仮約定時に分断市場を特定することができる。
【００４０】
また、注文を分断市場ごとに仮約定させ、分断市場の仮約定結果から再び連系線の電力量を算定して混雑する連系線を検出し、混雑する連系線がないか、市場分断を発生させる必要がない場合には、仮約定結果をもとに前記注文を約定するので、連系線が混雑した場合でも、分断市場において取引を行うことができる。
【００４１】
次に、図１で示したステップＳ４からの処理について、さらに詳しく説明を行う。
なお、以下の処理では、任意の２つのコントロールエリアの連系線は論理的に１つであることと、連系線は最大限有効に活用する、すなわち、価格差がないように空き容量を最大まで利用することを前提とする。
【００４２】
また、以下では簡単のため、５つのコントロールエリアについて説明する。
図６は、混雑する連系線の検出方法を説明するフローチャートである。
この図は、前述の図１におけるステップＳ４及びステップＳ５の処理についての詳細を示したフローチャートである。
【００４３】
ステップＳ１０：同一コントロールエリア内での仮約定の相殺
図１のステップＳ３の処理でマッチングした仮約定結果をもとに、同一コントロールエリア内での仮約定した注文の相殺を行う。
【００４４】
以下図７、図８、図９を用いて仮約定の相殺を説明する。
図７は、仮約定時の板の状態を示す図である。
前述の図１のステップＳ３の処理では、例えば、電力受け渡し日の前日の所定の時刻に、２４時間分の電力を３０分単位の４８商品として、４８枚の板上でマッチングを行う。
【００４５】
ここで示している板はその１枚であり、全ての（５つの）コントロールエリアからの１商品（ある３０分の電力）に対する注文を管理している。注文は、図示しているように、ある価格における売りの累積数量、その価格での売り注文の数量（売数量）とその内訳（売明細）、ある価格（単位は円／ＫＷｈ）における買いの累積数量と、その価格での買い注文の数量（買数量）とその内訳（買明細）といった情報として板上で管理される。各数量の単位はＭＷｈである。
【００４６】
売明細の欄は、例えば、価格１１円／ＫＷｈの場合、コントロールエリアＣＡ５の会員“Ｃ”により１０ＭＷｈ、同じくコントロールエリアＣＡ５の会員“Ｂ”により６５ＭＷｈ、コントロールエリアＣＡ１の会員“Ａ”により３０ＭＷｈの売り注文がなされたことを示している。
【００４７】
一方、買明細の欄は、同様に価格１１円／ＫＷｈの場合、コントロールエリアＣＡ４の会員“Ｘ”により１０ＭＷｈ、コントロールエリアＣＡ１の会員“Ｙ”により２０ＭＷｈ、同じくコントロールエリアＣＡ１の会員“Ｚ”により１０ＭＷｈの買い注文がなされたことを示している。
【００４８】
この図７の板では、価格１２円で仮約定した場合を示している。太枠２０、２１、２２で示した部分が仮約定対象の注文となり、売りの累積数量と、買いの累積数量が等しくなった価格で、仮約定されていることが分かる。
【００４９】
なお、成行注文は予め累積数量に累積される。図７では、買いの成行注文で、買数量１００ＭＷｈが累積されていることを示している。
図８は、図７で示した板上で仮約定した結果をコントロールエリア図に記述した図である。
【００５０】
図１のステップＳ１で系統運用機関１１より受信した図３で示したような連系線属性情報から、５つのコントロールエリア間が連系線３０、３１、…、３５で図８のように接続されていることが分かる。なお、図８で図示されている“００１”、“００２”、…、“００６”は連系線番号である。
【００５１】
このコントロールエリア図において、図７で示した板上で仮約定した結果を、コントロールエリアＣＡ１、ＣＡ２、…、ＣＡ５ごとにまとめる。例えば、コントロールエリアＣＡ１については、図７の板上で○で囲んであるものをまとめると、売りの数量が、５０ＭＷｈ、買いの数量が３０ＭＷｈとなることが分かる。
【００５２】
ここで、同一のコントロールエリア内では受け渡し容量の上限はないものとし、売りと買いの数量を相殺する。結果としては、同一コントロールエリア内の売買が完全に一致した場合を除き、そのコントロールエリア内では、買い残（他のコントロールエリアから受け渡しされるべき電力量）もしくは売り残（他のコントロールエリアへ受け渡しすべき電力量）の一方が残る。
【００５３】
図９は、同一コントロールエリア内での仮約定相殺後の様子を示す図である。
図のように、同一コントロールエリア内で、売りと買いの数量を相殺している。例えば、コントロールエリアＣＡ１では、売りの数量が５０ＭＷｈ、買いの数量が３０ＭＷｈであるから５０−３０＝２０ＭＷｈとなり、２０ＭＷｈの売り残が生じ、３０ＭＷｈの売買が相殺される。同様にコントロールエリアＣＡ２では、９０ＭＷｈの売り残が生じ、１０ＭＷｈの売買が相殺される。コントロールエリアＣＡ３では、５５ＭＷｈの買い残が生じ、４０ＭＷｈの売買が相殺される。コントロールエリアＣＡ４では、１００ＭＷｈの買い残が生じる。コントロールエリアＣＡ５では、４５ＭＷｈの売り残が生じ、３０ＭＷｈの売買が相殺される。
【００５４】
続いて、図６のステップＳ１１の処理の説明に移る。
ステップＳ１１：連系線への受け渡し量の割り振り
ここでは、連系線空き容量を超えない範囲内で隣接するコントロールエリアへの売り残の加算及び相殺を行う。
【００５５】
図１０は、連系線への受け渡し量の割り振りを説明する図である。
この図を用いて、ステップＳ１０の処理で相殺された結果をもとに、コントロールエリア間で電力の受け渡しを行う場合の受け渡し経路と連系線容量について説明する。なお、簡単のため、連系線３０、３１、…、３５の連系線空き容量は全て５０ＭＷｈとする。
【００５６】
ステップＳ１０の処理の結果、コントロールエリアＣＡ１の売り残２０ＭＷｈ＜連系線３０の空き容量（５０ＭＷｈ）なので、この２０ＭＷｈを全てコントロールエリアＣＡ２に渡す。その結果コントロールエリアＣＡ２の売り残が９０＋２０＝１１０ＭＷｈとなる。
【００５７】
一方、コントロールエリアＣＡ５の売り残４５ＭＷｈ＜連系線３４＋連系線３５の空き容量（１００ＭＷｈ）であるので、コントロールエリアＣＡ３、ＣＡ４の両方に流してもよいが、ここでは、買い残が多いコントロールエリアＣＡ４に全て渡す。その結果コントロールエリアＣＡ４の買い残が相殺され、１００−４５＝５５ＭＷｈとなる。
【００５８】
以下、買い残が多い方に優先的に渡す理由について図１１、１２、１３を用いて説明する。
図１１は、コントロールエリア内での相殺後の売り残及び買い残を示す図である。
【００５９】
ここでは、前述までの数値（売り残、買い残）と異なる値を用いており、コントロールエリアＣＡ１は売り残が２０ＭＷｈ、コントロールエリアＣＡ２は売り残が７０ＭＷｈ、コントロールエリアＣＡ３は買い残が５５ＭＷｈ、コントロールエリアＣＡ４は買い残が１００ＭＷｈ、コントロールエリアＣＡ５は売り残が６５ＭＷｈの場合について示している。
【００６０】
このような場合、コントロールエリア間での受け渡しパターンは必ずしも一意ではなく、複数のパターンがありうる。
まずは、各連系線に満遍なく電力の受け渡しを行った場合について示す。
【００６１】
図１２は、各連系線に満遍なく電力を受け渡しした場合の図である。
この図のように、まず、コントロールエリアＣＡ１からコントロールエリアＣＡ２には売り残の２０ＭＷｈを全て受け渡す。コントロールエリアＣＡ２では、加算されて９０ＭＷｈとなった売り残を、コントロールエリアＣＡ３に５０ＭＷｈ、コントロールエリアＣＡ４に４０ＭＷｈ受け渡す。これによって、コントロールエリアＣＡ３は買い残が５ＭＷｈとなり、コントロールエリアＣＡ４の買い残は６０ＭＷｈとなる。一方コントロールエリアＣＡ５の売り残の６５ＭＷｈは、コントロールエリアＣＡ３に３５ＭＷｈ、コントロールエリアＣＡ４に渡される。これによって、コントロールエリアＣＡ３の売り残が２５ＭＷｈとなり、コントロールエリアＣＡ４の買い残は２５ＭＷｈとなり、コントロールエリアＣＡ３の売り残２５ＭＷｈを全てコントロールエリアＣＡ４に渡すことで、電力の受け渡しが終了する。
【００６２】
図１３は、買い残の多いコントロールエリアに優先的に電力の受け渡しを行った場合の図である。
この図のように、コントロールエリアＣＡ１からコントロールエリアＣＡ２には、連系線３０の１本しかないので、図１２と同様に、売り残の２０ＭＷｈを全てコントロールエリアＣＡ２に渡す。その結果コントロールエリアＣＡ２では、加算されて９０ＭＷｈとなった売り残をコントロールエリアＣＡ３、ＣＡ４に受け渡すが、コントロールエリアＣＡ４のほうが買い残が多いので、コントロールエリアＣＡ４に連系線３２の空き容量の５０ＭＷｈの電力を渡す。残りの４０ＭＷｈはコントロールエリアＣＡ３に渡す。これによって、コントロールエリアＣＡ３の買い残は１５ＭＷｈとなり、コントロールエリアＣＡ４の買い残は５０ＭＷｈとなる。
【００６３】
ここで、残ったコントロールエリアＣＡ５から、売り残の６５ＭＷｈを、コントロールエリアＣＡ３に１５ＭＷｈ、コントロールエリアＣＡ４に５０ＭＷｈ受け渡すことで、電力の受け渡しが終了する。
【００６４】
図１２と、図１３を比較すると、図１３のように、買い残の多いコントロールエリアに優先的に電力の受け渡しを行った場合は、受け渡しの経路本数が少なくなる（図１３においては、連系線３３を用いなく済む）ので、一般的にはより効率的である。
【００６５】
従って、複数のコントロールエリアに電力を受け渡す必要がある場合には、買い残がより多いコントロールエリアへ優先的に受け渡すように処理を行う。
図１４は、図１０で示した連系線への受け渡し量の割り振りの続きの図である。
【００６６】
図１０で、売り残が１１０ＭＷｈとなったコントロールエリアＣＡ２は、買い残りがそれぞれ５５ＭＷｈとなったコントロールエリアＣＡ３、ＣＡ４に連系線の空き容量の５０ＭＷｈずつ電力を渡す。
【００６７】
続いて、図６のステップＳ１２の処理の説明に進む。
ステップＳ１２：買い残・売り残があるか否かの判定
前述のステップＳ１１の処理で行なった連系線への受け渡し量の割り振りの結果、全てのコントロールエリアで買い残・売り残が残っていなければ、連系線の空き容量内で当初の約定が可能であることを意味するので、このまま約定を決定する。買い残・売り残が残っている場合は、連系線の空き容量内で当初の約定が不可能なことを意味するので、市場分断を発生させ再度マッチングを行う必要があるので、後述の分断市場特定処理へ移る。
【００６８】
図１５は、買い残・売り残が発生した旨を示す図である。
図１４で示したような受け渡しの結果、連系線の空き容量がないため、これ以上コントロールエリア間での仮約定のための注文が相殺できない状態となる。すなわち、コントロールエリアＣＡ２には仮約定売り注文の売り残が１０ＭＷｈ、コントロールエリアＣＡ３、ＣＡ４には仮約定買い注文の買い残が５ＭＷｈずつ残る。このことは、売り残があるコントロールエリアＣＡ２と買い残があるコントロールエリアＣＡ３、ＣＡ４を結ぶ２つの連系線３１、３２がともに混雑したことを示す。
【００６９】
このような場合、市場分断を発生させる。図１４のような場合は、コントロールエリアＣＡ１、ＣＡ２からなる市場と、コントロールエリアＣＡ３、ＣＡ４、ＣＡ５からなる市場の２つに分断されることになる。
【００７０】
次に、１日前市場においてマッチングの際、連系線容量がその最大値まで達してしまった場合に発生する市場分断において、最大容量に達した連系線からそれによって発生する分断市場を特定する処理（図１のステップＳ６に相当する）の詳細を説明する。
【００７１】
図１６は、分断される市場を特定するための処理の流れを説明するフローチャートである。
ステップＳ２０：分断市場組み合わせ表の作成
処理が開始すると、図３で示した連系線属性情報を参照して、分断しうる１つまたは複数のコントロールエリアの組み合わせと、そのコントロールエリアを分断させる際に最大容量に達する必要のある連系線の関連を求める。
【００７２】
いま、複数のコントロールエリアが、例えば、前述してきたような５つのコントロールエリアＣＡ１、ＣＡ２、…、ＣＡ５が図８のように接続されている場合、連系線属性情報（以下連系線属性表という）は以下のようになる。
【００７３】
図１７は、連系線属性表の例である。
連系線属性表は、前述したように連系線番号と、その連系線の両端のコントロールエリア名（ＣＡ名）を示す情報である。例えば、連系線番号“００１”の連係線は、コントロールエリアＣＡ１とコントロールエリアＣＡ２を結ぶ連系線であることを示している。
【００７４】
この連系線属性表をもとに、まず各コントロールエリアの接続関係を表したコントロールエリアリレーション表を作成する。
図１８は、コントロールエリアリレーション表の例である。
【００７５】
ここで示すコントロールエリアリレーション表は、図１７の連系線属性表をもとにして作成されたものである。
図のように、コントロールエリア名と、そのコントロールエリアと連系線で接続のあるコントロールエリアが関連付けされた表が作成される。
【００７６】
このコントロールエリアリレーション表をもとに、分断しうる１つまたは複数のコントロールエリアの組み合わせの全パターンを以下のようにして求める。
まず、１つのコントロールエリア単位では必ず分断しえるので、これらは全て挙げる。
【００７７】
次に２つの組み合わせ、３つの組み合わせと順番に求めていく。
最後にコントロールエリアの個数がｎ個あるとすると、ガウス記号［ｎ／２］の組み合わせまで求めていく。これ以上の組み合わせを求めても、それまでに求めた組み合わせの排他組み合わせとなるため、求める必要がない。
【００７８】
以上で求めた組み合わせは重複している組み合わせも含まれるので、重複しているものを除外する。
このようなルールで分断市場組み合わせ表を作成する。例えば、図１８で示したコントロールエリアリレーション表をもとに作成した場合について具体的に説明する。
【００７９】
まず１つのコントロールエリアを全て挙げる。これにより、コントロールエリアＣＡ１、ＣＡ２、ＣＡ３、ＣＡ４、ＣＡ５が取り上げられる。
次に、２つの組み合わせを求める。
【００８０】
２つの組み合わせは、コントロールエリアＣＡ１、ＣＡ２と、コントロールエリアＣＡ２、ＣＡ３と、コントロールエリアＣＡ２、ＣＡ４と、コントロールエリアＣＡ３、ＣＡ４と、コントロールエリアＣＡ３、ＣＡ５と、コントロールエリアＣＡ４、ＣＡ５の６種類となる。
【００８１】
この例では、２つの組み合わせまでで、先に述べたガウス記号［ｎ／２］個の組み合わせを求めたので、３つ以上の組み合わせを求める必要はない。
図１９は、分断市場組み合わせ表の例である。
【００８２】
以上より、分断しうる１つまたは複数のコントロールエリアの組み合わせで、図１９のような分断市場組み合わせ表が得られる。
次に、図１６のステップＳ２１の処理を説明する。
【００８３】
ステップＳ２１：分断市場−連系線組み合わせ表の作成
ステップＳ２０の処理で、分断しうるコントロールエリアの組み合わせを求めたが、このステップＳ２１の処理では、そのコントロールエリアの組み合わせが分断するために最大容量に達する必要のある連系線を求める。
【００８４】
図２０は、最大容量に達する必要のある連系線を説明するための図である。
例えば、コントロールエリアＣＡ２、ＣＡ３、ＣＡ４の組み合わせが市場分断する場合、連系線番号“００１”の連系線３０、“００５”の連系線３４、“００６”の連系線３５が最大容量に達することが直感的に分かるが、これを、「あるコントロールエリアの組み合わせである分断市場を成立させるには、その分断市場に含まれるコントロールエリアに片側のみ接続している連系線が最大容量に達している必要がある。」と表現することができる。
【００８５】
具体的に説明すると、前述の図１７で示した連系線属性表より、分断市場に含まれるコントロールエリアＣＡ２、ＣＡ３、ＣＡ４に接続している連系線３０、３１、…、３５のうち、片側のみコントロールエリアＣＡ２、ＣＡ３、ＣＡ４に接続している連系線３０、３４、３５が最大容量に達すること、それがこの分断市場が発生するための要件であるといえる。
【００８６】
上記のステップＳ２１の処理を、図１７の連系線属性表を参照して、ステップＳ２０で求めた分断市場組み合わせ表の全てについて適用すると、以下のような分断市場−連系線組み合わせ表が作成される。
【００８７】
図２１は、分断市場−連系線組み合わせ表の例である。
この図のように、分断しうる１つまたは複数のコントロールエリアの組み合わせからなる分断市場と、その分断市場が生じるために容量が最大値になる１つまたは複数の連系線の連系線番号の組み合わせ表が作成される。
【００８８】
次に図１６のステップＳ２２の処理を説明する。
ステップＳ２２：分断される市場の特定
ここでは、図６のステップＳ１２の処理で検出された最大受け渡し容量に達した連系線をもとに、分断される市場を特定する。
【００８９】
図２２は、分断される市場の特定を説明する図である。
図２２では連系線番号“００２”、“００３”、“００４”、“００６”の連系線３１、３２、３３、３５が、その最大容量まで達している状態を示している。
【００９０】
ここで、図２１で示した分断市場−連系線組み合わせ表より、混雑している連系線のみの組み合わせに対応するコントロールエリアの組み合わせ、図２２の例では、連系線番号“００２”、“００３”、“００４”、“００６”のいずれかだけを含むようなコントロールエリアの組み合わせを抽出する。このとき抽出された結果は以下の組み合わせとなる。
【００９１】
図２３は、分断市場−連系線組み合わせ表より抽出された結果の例である。
この結果より、分断される市場を特定する。例えば、図２３のように、上から順に一連の番号（１）、（２）、（３）を付ける。
【００９２】
次に、各コントロールエリアＣＡ１、ＣＡ２、…、ＣＡ５がどの番号（１）、（２）、（３）であるかを示す一覧表を作成する。
図２４は、一覧表の作成の様子を説明する図である。
【００９３】
ここでは、図２３で得られた番号（１）、（２）、（３）を一覧表に割り振る。なお、番号の順序に意味はなく、それぞれの区別が認識できれば問題ない。
図２３で示したように番号（１）、（２）、（３）が付けられたコントロールエリアの組み合わせを参照して、まず番号（１）を割り振る。続いて番号（２）を割り振る。最後に番号（３）を割り振る。このとき、すでに一連番号が割り振られている場合、後に割り振る必要があっても割り振らない。
【００９４】
図２４のようにして作成された一覧表を一連番号ごとに整理する。
図２５は、図２４で作成された一覧表を一連番号ごとに整理した図である。
このように、番号（１）にはコントロールエリアＣＡ４が対応し、番号（２）にはコントロールエリアＣＡ１、ＣＡ２の組み合わせが対応し、番号（３）にはコントロールエリアＣＡ３、ＣＡ５の組み合わせが対応した表が作成される。
【００９５】
これをコントロールエリア図にすると以下のようになる。
図２６は、分断された市場を示す図である。
この図のように“（１）”、“（２）”、“（３）”の３つの市場に分断されることがわかる。
【００９６】
以上のようにして分断される市場を自動的に特定することができる。
また、市場分断が起こりうる連系線の組み合わせは、あるコントロールエリアとコントロールエリアを結ぶ複数経路を想定してあるため、より効率的に発電施設を利用することにつながる。これにより、安い電力を広い範囲に供給することができる。
【００９７】
なお、上記ステップＳ２０、Ｓ２１の処理は、市場分断を特定するたびに行う必要はなく、予め上記の図２１のような分断市場−連系線組み合わせ表を求めておきコンピュータの記憶手段（ハードディスクなど）に記憶し、例えば、連系線の新設などにより連系線属性表が更新されたときに分断市場−連系線組み合わせ表も更新すればよい。
【００９８】
また、上記の例では、簡単のためにコントロールエリアを５つとしているが、この数に限定されず、これより多い場合についても同様の方法で、分断される市場を特定することができる。
【００９９】
次に、図１のステップＳ７で示された分断された市場ごとのマッチング（再マッチング）についての詳細を説明する。
図２７は、再マッチングの際の処理の流れを説明するフローチャートである。
【０１００】
まず図２７を用いて、再マッチング処理の概略を説明する。具体的な例は後述する。
ステップＳ３０：分断後の市場に含まれるコントロールエリアの属性チェック
再マッチング処理が開始すると、前述までの処理で得られた分断後の市場内に含まれるコントロールエリアの情報をもとに、分断後の市場に含まれるコントロールエリアの属性をチェックする。ここでは、図１６で説明したような処理により特定した分断後の市場に含まれるコントロールエリアの組み合わせと、図６で説明したような処理により求めた買い残・売り残のあるコントロールエリアの情報とから、新しくできる分断市場間の電力の受け渡し方向を特定する。ここで、売り残を含むような場合はステップＳ３１の処理に進み、買い残を含むような場合はステップＳ３２の処理に進む。
【０１０１】
ステップＳ３１：電力提供元市場の連系線の空き容量の売り注文を減算
ステップＳ３０の処理で、分断後の市場に含まれるコントロールエリアで売り残が残るようなコントロールエリアがある場合は、売り残が残るコントロールエリアを含む電力提供元市場において、新たに板を作成し、買い算が残るコントロールエリアを含む電力提供元市場へ渡す連系線空き容量分の売り注文を、その市場全体の売り注文から減算する。
【０１０２】
ステップＳ３２：電力提供先市場の連系線の空き容量の売り注文を加算
ステップＳ３０の処理で、分断後の市場に含まれるコントロールエリアで買い残が残るようなコントロールエリアがある場合は、買い残が残るコントロールエリアを含む電力提供元市場において、新たに板を作成し、売り残が残るコントロールエリアを含む電力提供先市場から渡される連系線空き容量分の売り注文を、その市場全体の売り注文に加算する。
【０１０３】
ステップＳ３３：分断後の各市場でのマッチング
それぞれの市場において、ステップＳ３１、Ｓ３２の処理で新たに作成された板を用いてマッチングを行い、仮約定価格と仮約定数量を求める。その後、図１のステップＳ４の処理に相当する連系線チェック処理に進む。
【０１０４】
連系線チェックを再び行う理由は、分断後の各市場でマッチングを行うと、分断後の板において約定対象の注文が増える可能性があるため、再度連系線容量をチェックする必要があるためである。
【０１０５】
以下、再マッチング処理を具体的に説明する。
図２８は、全国市場において仮約定した板の状態を示す図である。
太枠２３、２４、２５で示した部分が仮約定対象の注文となり、売りの累積数量と、買いの累積数量が等しくなった価格で、仮約定されていることが分かる。このような板の見方は、図７で詳述したのでここでは省略する。
【０１０６】
図２９は、図２８の仮約定した板の状態をコントロールエリア図で示したものである。
簡単に、分断される市場の特定の処理について繰り返すと、図２８のように仮約定が全国市場でなされたとき、連系線３０、３１、…、３５の空き容量が５０ＭＷｈであるとすると、連系線番号“００２”、“００３”の連系線３１、３２で容量が最大値になることが、前述した図６の処理によりわかる。さらに、図２１で示した分断市場−連系線組み合わせ表を参照して、連系線番号“００２”、“００３”のいずれかだけを含むようなコントロールエリアの組み合わせを見ると、コントロールエリアＣＡ１、ＣＡ２の組み合わせが抽出される。これに番号（１）を振って残りのコントロールエリアＣＡ３、ＣＡ４、ＣＡ５に番号（２）を振ると（図２３〜図２６参照）、図２９のように、コントロールエリアＣＡ１とコントロールエリアＣＡ２の市場“（１）”、コントロールエリアＣＡ３とコントロールエリアＣＡ４とコントロールエリアＣＡ５の市場“（２）”の市場に分断されることが特定される。
【０１０７】
次に、分断後の板について説明する。
市場分断された場合でも、連系線を最大限有効に活用できるようにするため、売り残を有するコントロールエリアを含む電力提供元市場から、隣接する買い残を有するコントロールエリアを含む電力提供先市場へ、市場をつなぐ連系線の空き容量分（複数連系線がある場合はそれらの和）の電力量を提供するようにする。
【０１０８】
この際、電力提供元市場の売り注文のうち、安値のものから連系線の空き容量分だけ削除し、電力提供先市場に連系線の空き容量分だけ先の仮約定価格での売り注文を加える。
これは価格に対する逆流を防止するためである。
【０１０９】
図３０は、分断された市場“（１）”の板の状態を示す図である。
この板は、コントロールエリアＣＡ１、ＣＡ２の市場“（１）”のものであり、図２８で示した全体でマッチングしたときの板の状態から、分離したコントロールエリアＣＡ３、ＣＡ４、ＣＡ５の市場“（２）”の注文を除外した状態を示す。
【０１１０】
ここで、前述のように、連系線を有効活用するために、市場“（２）”へ連系線の空き容量分の電力を提供するので、売り注文からその分の電力を減算する。市場“（２）”への連系線の空き容量は、図２９のように連系線３１、３２が２本あるため１００ＭＷｈとなる。この１００ＭＷｈは、安値の売り注文から順に市場“（２）”へ受け渡す。すなわち、図３０のように、価格が１０円／ＫＷｈで売り注文を行ったコントロールエリアＣＡ１の会員“Ｆ”から２０ＭＷ、コントロールエリアＣＡ２の会員“Ａ”から６０ＭＷの電力を受け渡す。また残りの２０ＭＷｈは、価格が１１円／ＫＷｈで売り注文を行ったコントロールエリアＣＡ１の会員“Ａ”、コントロールエリアＣＡ２の会員“Ｄ”の何れか、または両方から所定の配分で抽出する。以下では、売り注文した電力量の大きさに比例した比例配分で抽出する例で説明する。このとき、コントロールエリアＣＡ１の会員“Ａ”からは９ＭＷｈ、コントロールエリアＣＡ２の会員“Ｄ”からは１１ＭＷｈの電力が市場“（２）”に受け渡される。
【０１１１】
図３１は、分断された市場“（１）”の板の状態を示す図であり、市場“（２）”に受け渡す電力を引いた状態を示す図である。
分断された市場“（１）”の板の状態は、コントロールエリアＣＡ３、ＣＡ４、ＣＡ５の市場“（２）”に受け渡す電力を引くことにより、太枠２６、２７のように価格が１１円／ＫＷｈで、仮約定注文が決まる。なお、買いの累積数量は７０ＭＷｈで仮約定しているが、売りの累積数量が５０ＭＷｈであるので、価格１１円／ＫＷｈの注文３０ＭＷｈの内、５０ＭＷｈから価格１３円／ＫＷｈと１２円／ＫＷｈの買いの数量の和である４０ＭＷｈを引いた１０ＭＷｈのみが仮約定される。このときの１０ＭＷｈは、価格１１円／ＫＷｈで買い注文を行ったコントロールエリアＣＡ１の会員“Ｙ”、会員“Ｚ”の何れか、または両方で所定の配分で決定する。
【０１１２】
図３２は、分断された市場“（２）”の板の状態を示す図である。
この板は、図２９で示したコントロールエリアＣＡ３、ＣＡ４、ＣＡ５の市場“（２）”のものであり、図２８で示した全体でマッチングしたときの板の状態から、分離したコントロールエリアＣＡ１、ＣＡ２の市場“（１）”の注文を除外した状態を示す。
【０１１３】
この板上で、コントロールエリアＣＡ１、ＣＡ２の市場“（１）”から受け渡された電力１００ＭＷｈを加算すると以下のようになる。
図３３は、分断された市場“（２）”の板の状態を示す図であり、市場“（１）”から受け渡された電力を加えた状態を示す図である。
【０１１４】
分断された市場“（２）”の板の状態は、コントロールエリアＣＡ１、ＣＡ２の市場“（１）”から受け渡された電力を加える（例えば、市場“（１）”で仮約定した価格１１円／ＫＷｈの欄に加える）ことにより、太枠２８、２９のように価格が１３円／ＫＷｈで、仮約定注文が決まる。なお、売りの累計数量は３７５ＭＷｈで仮約定しているが、買いの累計数量が２２５ＭＷｈであるので、実際に約定できるのは２２５ＭＷｈだけである。このとき価格が１３円／ＫＷｈの売り注文６０ＭＷｈのうち、１０ＭＷｈのみが約定される。
【０１１５】
図３４は、再マッチング後の様子を図示したコントロールエリア図である。
この図のように、分断された市場“（１）”、“（２）”それぞれにおける約定結果（約定数量、約定価格）が得られる。
【０１１６】
このような市場分断と分断市場ごとの再マッチングにより、約定価格が市場ごとに異なる場合がある、また、約定数量の合計が市場分断前より多くなる可能性がある。これによって、市場の活性化が期待できる。
【０１１７】
以上説明した処理は、電力取引所のコンピュータによって実現可能である。
図３５は、コンピュータのハードウェア構成例である。
コンピュータ５０は、ＣＰＵ（Central Processing Unit）５１、ＲＯＭ（Read Only Memory）５２、ＲＡＭ（Random Access Memory）５３、ＨＤＤ（Hard Disk Drive）５４、グラフィック処理部５５、入力Ｉ／Ｆ（Interface）５６、通信Ｉ／Ｆ５７などによって構成され、これらはバス５８を介して相互に接続されている。
【０１１８】
ここで、ＣＰＵ５１は、ＨＤＤ５４に格納されているプログラムや、各種データに応じて各部を制御する。
ＲＯＭ５２は、ＣＰＵ５１が実行する基本的なプログラムやデータを格納している。
【０１１９】
ＲＡＭ５３は、ＣＰＵ５１が実行途中のプログラムや、演算途中のデータを一時的に格納する。
ＨＤＤ５４は、ＣＰＵ５１が実行するＯＳや、図１で示したような電力取引方法の処理を行うプログラムや、前述してきた各種のデータが格納される。
【０１２０】
グラフィック処理部５５には、ディスプレイなどの表示装置５５ａが接続されており、ＣＰＵ５１からの描画命令に従って、表示装置５５ａの画面上に、図３３で示したような分断市場ごとの約定結果や、計算途中の様子などを表示させる。
【０１２１】
入力Ｉ／Ｆ５６には、マウス５６ａやキーボード５６ｂが接続されており、ユーザにより入力された情報を受信し、バス５８を介してＣＰＵ５１に送信する。
通信Ｉ／Ｆ５７は、例えば、インターネットなどのネットワーク６０を介して、図２で示した系統運用機関１１や、会員１２−１〜１２−ｎから、連系線情報や注文などを受信する。また、特定された分断市場における取引情報、分断市場間での電力受け渡し情報などを提示（系統運用機関１１や、会員１２−１〜１２−ｎなどに送信）するなどの処理を行う。
【０１２２】
このようなハードウェア構成により、上記の実施の形態の処理が実現可能である。
最後に、以上の説明では省略した、電力取引所で作られるいくつかのデータと、出力データの例について簡単にまとめる。
【０１２３】
図３６は、全国市場または分断市場においてのマッチング結果を示す図である。
このデータは、約定結果とは限らない。電力受け渡し日と、商品（何時から何時までの電力供給かを示す）、どの市場か、マッチング価格（円／ＫＷｈ）を示すデータである。
【０１２４】
図３７は、ある市場内の個々の会員ごとにマッチングした結果を示すデータである。
このデータは、ある市場内の個々の会員ごとにおいてマッチング結果を示すものであり、約定結果とは限らない。商品、どのコントロールエリアからの注文なのか、売りなのか買いなのか、数量（電力量（単位はＭＷｈ））、価格（円／ＫＷｈ）、どの会員なのかを示すデータである。
【０１２５】
図３８は、電力取引所からのアウトプットデータのうち約定結果を示す図である。
電力受け渡し日、商品、約定価格、どのコントロールエリアからなる市場か、数量、売り注文を行った会員とその会員が属するコントロールエリア、買い注文を行った会員とその会員が属するコントロールエリアを示すデータである。
【０１２６】
図３９は、電力取引所からのアウトプットデータのうち分断市場情報を示す図である。
電力受け渡し日、商品、どのコントロールエリアからなる分断市場か、約定価格、出来高、受け渡し先のコントロールエリア、受け渡した数量を示すデータである。
【０１２７】
図４０は、電力取引所からのアウトプットデータのうちコントロールエリア間の電力の受け渡し情報を示す図である。
電力受け渡し日、時間帯、連系線、受け渡し元のコントロールエリア、受け渡し先のコントロールエリア、数量、その連系線が混雑が発生しているか否かを示すデータである。
【０１２８】
なお、ここで示したアウトプットデータとして、実際は代金や手数料なども提示される。
このようなアウトプットデータを、系統運用機関１１や会員１２−１〜１２−ｎに提示することで、電力取引所１０で公正に取引が行われているのか監視することができる。
【０１２９】
なお、上記のアウトプットデータを全て電力取引所１０、系統運用機関１１、会員１２−１〜１２−ｎに提示しなくともよい。
また、それぞれの市場における取引の板そのものを提示してもよい。
【産業上の利用可能性】
【０１３０】
電力取引所における取引の際に適用できる。
【図面の簡単な説明】
【０１３１】
【図１】本発明の実施の形態の電力取引方法の流れを説明するフローチャートである。
【図２】電力取引システムの概略の構成図である。
【図３】連系線属性情報の例である。
【図４】連系線空き容量情報である。
【図５】注文情報の例である。
【図６】混雑する連系線の検出方法を説明するフローチャートである。
【図７】仮約定時の板の状態を示す図である。
【図８】図７で示した板上で仮約定した結果をコントロールエリア図に記述した図である。
【図９】同一コントロールエリア内での仮約定相殺後の様子を示す図である。
【図１０】連系線への受け渡し量の割り振りを説明する図である。
【図１１】コントロールエリア内での相殺後の売り残及び買い残を示す図である。
【図１２】各連系線に満遍なく電力を受け渡しした場合の図である。
【図１３】買い残の多いコントロールエリアに優先的に電力の受け渡しを行った場合の図である。
【図１４】図１０で示した連系線への受け渡し量の割り振りの続きの図である。
【図１５】買い残・売り残が発生した旨を示す図である。
【図１６】分断される市場を特定するための処理の流れを説明するフローチャートである。
【図１７】連系線属性表の例である。
【図１８】コントロールエリアリレーション表の例である。
【図１９】分断市場組み合わせ表の例である。
【図２０】最大容量に達する必要のある連系線を説明するための図である。
【図２１】分断市場−連系線組み合わせ表の例である。
【図２２】分断される市場の特定を説明する図である。
【図２３】分断市場−連系線組み合わせ表より抽出された結果の例である。
【図２４】一覧表の作成の様子を説明する図である。
【図２５】図２４で作成された一覧表を一連番号ごとに整理した図である。
【図２６】分断された市場を示す図である。
【図２７】再マッチングの際の処理の流れを説明するフローチャートである。
【図２８】全国市場において仮約定した板の状態を示す図である。
【図２９】図２８の仮約定した板の状態をコントロールエリア図で示したものである。
【図３０】分断された市場“（１）”の板の状態を示す図である。
【図３１】分断された市場“（１）”の板の状態を示す図であり、市場“（２）”に受け渡す電力を引いた状態を示す図である。
【図３２】分断された市場“（２）”の板の状態を示す図である。
【図３３】分断された市場“（２）”の板の状態を示す図であり、市場“（１）”から受け渡された電力を加えた状態を示す図である。
【図３４】再マッチング後の様子を図示したコントロールエリア図である。
【図３５】コンピュータのハードウェア構成例である。
【図３６】全国市場または分断市場においてのマッチング結果を示す図である。
【図３７】ある市場内の個々の会員ごとにマッチングした結果を示すデータである。
【図３８】電力取引所からのアウトプットデータのうち約定結果を示す図である。
【図３９】電力取引所からのアウトプットデータのうち分断市場情報を示す図である。
【図４０】電力取引所からのアウトプットデータのうちコントロールエリア間の電力の受け渡し情報を示す図である。
【図４１】日本におけるコントロールエリアとその連系線の配置例を示す図である。
【図４２】市場分断を説明する図である。
【符号の説明】
【０１３２】
１０  電力取引所
１１  系統運用機関
１２−１、１２−２、…、１２−ｎ  会員
【図１】
2005100140.tif 000003
【図２】
2005100140.tif 000004
【図３】
2005100140.tif 000005
【図４】
2005100140.tif 000006
【図５】
2005100140.tif 000007
【図６】
2005100140.tif 000008
【図７】
2005100140.tif 000009
【図８】
2005100140.tif 000010
【図９】
2005100140.tif 000011
【図１０】
2005100140.tif 000012
【図１１】
2005100140.tif 000013
【図１２】
2005100140.tif 000014
【図１３】
2005100140.tif 000015
【図１４】
2005100140.tif 000016
【図１５】
2005100140.tif 000017
【図１６】
2005100140.tif 000018
【図１７】
2005100140.tif 000019
【図１８】
2005100140.tif 000020
【図１９】
2005100140.tif 000021
【図２０】
2005100140.tif 000022
【図２１】
2005100140.tif 000023
【図２２】
2005100140.tif 000024
【図２３】
2005100140.tif 000025
【図２４】
2005100140.tif 000026
【図２５】
2005100140.tif 000027
【図２６】
2005100140.tif 000028
【図２７】
2005100140.tif 000029
【図２８】
2005100140.tif 000030
【図２９】
2005100140.tif 000031
【図３０】
2005100140.tif 000032
【図３１】
2005100140.tif 000033
【図３２】
2005100140.tif 000034
【図３３】
2005100140.tif 000035
【図３４】
2005100140.tif 000036
【図３５】
2005100140.tif 000037
【図３６】
2005100140.tif 000038
【図３７】
2005100140.tif 000039
【図３８】
2005100140.tif 000040
【図３９】
2005100140.tif 000041
【図４０】
2005100140.tif 000042
【図４１】
2005100140.tif 000043
【図４２】
2005100140.tif 000044